(57)【特許請求の範囲】
【請求項１】
ＬＡＮ接続されたＶｏＩＰ専用電話端末、端末装置、及びＷＷＷサーバ間の通信に基づいたＶｏＩＰ電話端末からの電話発信方法において、
前記ＶｏＩＰ専用電話端末での操作によって前記端末装置が電話帳アプリケーションプログラムを自動起動する段階と、
この起動した電話帳アプリケーションプログラムの実行に基づいて、前記端末装置が前記ＷＷＷサーバから電話帳データをホームページデータとして受信し、このホームページデータを画面表示するとともに、必要に応じて加工する段階と、
この画面表示された電話帳データから電話相手先の電話番号を前記端末装置で選択する段階と、
この選択した電話番号情報を前記端末装置から前記ＶｏＩＰ専用電話端末へ転送する段階と、
前記ＶｏＩＰ専用電話端末が受信した電話番号を電話網に自動発信する段階と、
を有することを特徴とするＶｏＩＰ電話端末からの電話発信方法。
【請求項２】
ＬＡＮ接続されたＶｏＩＰ専用電話端末、端末装置、及びＷＷＷサーバ間の通信に基づいて前記ＶｏＩＰ専用電話端末から電話発信を行うＶｏＩＰ電話端末を備えた電話発信システムにあって、
前記ＶｏＩＰ専用電話端末が、当該ＶｏＩＰ専用電話端末での操作指示によるメッセージを前記端末装置に送出し、かつ、前記端末装置から転送された電話番号を電話網に自動発信し、
前記端末装置が、前記ＶｏＩＰ専用電話端末からのメッセージの通知によって電話帳アプリケーションプログラムを自動起動して実行し、前記ＷＷＷサーバから電話帳データをホームページデータとして受信して画面表示するとともに必要に応じて加工し、電話相手先の電話番号を選択し、この選択した電話番号を前記ＶｏＩＰ専用電話端末へ転送する、
ことを特徴とするＶｏＩＰ電話端末を備えた電話発信システム。
【請求項３】
前記電話帳データとして、
少なくとも電話網に接続された電話端末ごとの電話番号と、電話番号をグループ化した際のグループ名及び代表電話番号並びに内線番号、さらにダイヤルイン電話番号とを記述していることを特徴とする請求項２記載のＶｏＩＰ電話端末を備えた電話発信システム。
【請求項４】
前記ＬＡＮが、当該ＩＰパケット通信ネットワークに収容されるゲートキーパーをさらに備え、
前記ゲートキーパーが、前記ＶｏＩＰ専用電話端末相互の音声通信の接続及び切断処理を制御するとともに、前記電話端末と前記ＶｏＩＰ専用電話端末との音声通信の接続及び切断処理を制御することを特徴とする請求項２記載のＶｏＩＰ電話端末を備えた電話発信システム。
【請求項５】
前記ＬＡＮが、当該ＩＰパケット通信ネットワークに収容されるゲートウェイをさらに備え、
前記ゲートウェイが、前記ＶｏＩＰ電話端末との音声通信における電話網との間の通信プロトコル変換を行うことを特徴とする請求項２記載のＶｏＩＰ電話端末を備えた電話発信システム。
【請求項６】
前記ＬＡＮにサーバをさらに接続し、
このサーバに、前記端末装置及び／又は前記ＶｏＩＰ専用電話端末が、遠隔手続き呼び出し方式による動作を行うためのプログラムを格納していることを特徴とする請求項２記載のＶｏＩＰ電話端末を備えた電話発信システム。
【請求項７】
前記サーバが格納するプログラムを、
情報記録媒体から取り込み、又は、通信ネットワークを通じたダウンロードによって取り込むことを特徴とする請求項６記載のＶｏＩＰ電話端末を備えた電話発信システム。
【請求項８】
端末装置が、ＶｏＩＰ専用電話端末の操作によって起動した電話帳アプリケーションプログラムの実行に基づきＷＷＷサーバからＬＡＮを介して電話帳データを受信して画面表示するとともに、加工可能化し、かつ、この画面表示された電話帳データから電話相手先の電話番号を選択するとともに、この選択した電話番号をＶｏＩＰ専用電話端末に転送し、さらに、この転送された電話番号をＶｏＩＰ専用電話端末が電話網に自動発信するためのプログラムを記録したことを特徴とする情報記録媒体。
【請求項９】
前記端末装置及び前記ＶｏＩＰ専用電話端末の制御動作を、前記端末装置及び前記ＶｏＩＰ専用電話端末を収容するＬＡＮに設けたサーバを通じて実行するためのプログラムを記録したことを特徴とする請求項８記載の情報記録媒体。
【請求項１０】
前記端末装置及び前記ＶｏＩＰ専用電話端末の制御動作を、前記端末装置、前記ＶｏＩＰ専用電話端末、ゲートウェイ、前記ＷＷＷサーバ及びゲートキーパーを収容するＬＡＮに設けた前記ＷＷＷサーバを通じて実行するためのプログラムを記録したことを特徴とする請求項８記載の情報記録媒体。
【発明の詳細な説明】
【０００１】
【発明の属する技術分野】
本発明は、ＶｏＩＰ専用の電話端末からの電話発信方法及びそのシステム並びに情報記録媒体に関し、特に、ボイスオーバ（Ｖｏ）ＩＰ（Ｉｎｔｅｒｎｅｔ  Ｐｒｏｔｏｃｏｌ）  電話端末と端末装置との間におけるメッセージ交換に基づいて電話帳アプリケーションプログラムを自動起動して電話発信を行うためのＶｏＩＰ電話端末からの電話発信方法及びそのシステム並びに情報記録媒体に関する。
【０００２】
【従来の技術】
従来、電話システムにおいて、アドレス帳アプリケーションソフトウェア（適宜、アドレス帳アプリケーションプログラムと記載する）において管理される個人情報及び法人情報の一つとして電話番号情報がある。公衆電話網に接続された電話端末（適宜、一般電話端末と記載する）やＶｏＩＰ用の電話端末（  適宜、ＶｏＩＰ専用電話端末と記載する）  から発信する場合、アドレス帳アプリケーションプログラムを実行して電話相手先の電話番号を検索し、この後に手動入力操作によって一般電話端末やＶｏＩＰ専用電話端末から発呼し、かつ、交換局からの発信信号の受信した後に電話相手先の電話番号（選択信号）を送出する（この発呼、発信信号の受信、選択信号の送出を、適宜、電話発信と記載する）。
【０００３】
なお、ＶｏＩＰ専用電話端末は、ＴＣＰ／ＩＰ網（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ／イントラネット、インターネット、エキストラネット）におけるＩＰパケット（ＩＥＴＦ：Ｉｎｔｅｒｎｅｔ  Ｅｎｇｉｎｅｅｒｒｉｎｇ  Ｔａｓｋ  Ｆｏｒｃｅ）ＳＴＤ５にて規定）上で音声データの送受信を行うものである。
【０００４】
このようなＩＰパケットによる音声データ伝送において、電話相手先への電話発信を行う各種の例が提案されている。例えば、パーソナルコンピュータ上で電話を自動発信し、また、電話帳アプリケーションプログラムを自動的に起動する例が知られている（例えば、特開平１０−３３６３０４号「電話帳ソフト起動システム」）。また、ＷＷＷ（Ｗｏｒｌｄ  Ｗｉｄｅ  Ｗｅｂ）サーバからインターネット電話ソフトウェア名と相手先電話番号をデータとしてダウンロードすることによって、電話相手先と音声通信を確立する例が知られている（例えば、特開平１１−０４１２９４号「インターネット・電話網統合利用方法及びそのシステム」）。
【０００５】
このようなＷＷＷサーバからインターネット電話ソフトウェア名と相手先電話番号をデータとしてダウンロードする例では、公衆電話網に接続された電話端末及びＶｏＩＰ専用電話端末が、共通の電話通話を行うための装置であるにもかかわらず、別々の目的で個別に動作している。したがって、アドレス帳アプリケーションプログラムを実行して検索した電話相手先の電話番号を、一般電話端末やＶｏＩＰ専用電話端末を電話発信者が個別に手動入力操作して、その電話発信を行っている。
【０００６】
また、ＶｏＩＰ専用電話端末は、小型化や多機能化の進展に伴って、表示器が狭い画面面積であることが多く、また、多数の文字などが表示されるため、このアドレス帳アプリケーションソフトウェアを利用した電話相手先の検索時に電話番号を見間違えたり、また、多機能化による小型配列のキーホードにおける手動入力操作でのダイヤルボタンの押し間違えが生じることがある。このような一般電話端末やＶｏＩＰ専用電話端末における誤操作によって間違電話の発信となってしまう。
【０００７】
【発明が解決しようとする課題】
このように、上記従来例では、アドレス帳アプリケーションプログラムを実行して検索した電話相手先の電話番号を、一般電話端末やＶｏＩＰ専用電話端末において、電話発信者が個別に手動入力操作して、その電話発信を行わなければならない。また、ＶｏＩＰ専用電話端末での誤操作によって間違電話発信となることがある。換言すれば、従来のＶｏＩＰ電話端末では操作性が悪いという欠点があった。
【０００８】
本発明は、このような従来の技術における課題を解決するものであり、ＶｏＩＰ電話端末では手間のかかる表示及びスクロール操作を行わないで発信相手先の電話番号が容易に得られ、その自動電話発信が可能になって操作性に優れたＶｏＩＰ電話端末からの電話発信方法及びそのシステム並びに情報記録媒体の提供を目的とする。
【０００９】
【課題を解決するための手段】
上記課題を達成するために、本発明は、ＬＡＮ接続されたＶｏＩＰ専用電話端末、端末装置、及びＷＷＷサーバ間の通信に基づいたＶｏＩＰ電話端末からの電話発信方法において、ＶｏＩＰ専用電話端末での操作によって端末装置が電話帳アプリケーションプログラムを自動起動する段階と、この起動した電話帳アプリケーションプログラムの実行に基づいて、端末装置が前記ＷＷＷサーバから電話帳データをホームページデータとして受信し、このホームページデータを画面表示するとともに、必要に応じて加工する段階と、この画面表示された電話帳データから電話相手先の電話番号を端末装置で選択する段階と、この選択した電話番号情報を端末装置からＶｏＩＰ専用電話端末へ転送する段階と、ＶｏＩＰ専用電話端末が受信した電話番号を電話網に自動発信する段階とを有している。
【００１０】
また、本発明のＶｏＩＰ電話端末を備えた電話発信システムは、ＬＡＮ接続されたＶｏＩＰ専用電話端末、端末装置、及びＷＷＷサーバ間の通信に基づいて前記ＶｏＩＰ専用電話端末から電話発信を行うものであり、ＶｏＩＰ専用電話端末が、当該ＶｏＩＰ専用電話端末での操作指示によるメッセージを端末装置に送出し、かつ、端末装置から転送された電話番号を電話網に自動発信し、端末装置が、ＶｏＩＰ専用電話端末からのメッセージの通知によって電話帳アプリケーションプログラムを自動起動して実行し、ＷＷＷサーバから電話帳データをホームページデータとして受信して画面表示するとともに必要に応じて加工し、電話相手先の電話番号を選択し、この選択した電話番号をＶｏＩＰ専用電話端末へ転送する構成としてある。
【００１２】
また、前記ＶｏＩＰ電話端末を備えた電話発信システムは、前記電話帳データとして、少なくとも電話網に接続された電話端末ごとの電話番号と、電話番号をグループ化した際のグループ名及び代表電話番号並びに内線番号、さらにダイヤルイン電話番号とを記述した構成としてある。
【００１３】
さらに、前記ＶｏＩＰ電話端末を備えた電話発信システムは、前記ＬＡＮが、当該ＩＰパケット通信ネットワークに収容されるゲートキーパーをさらに備え、ゲートキーパーが、ＶｏＩＰ専用電話端末相互の音声通信の接続及び切断処理を制御するとともに、電話端末とＶｏＩＰ専用電話端末との音声通信の接続及び切断処理を制御する構成としてある。
【００１４】
また、前記ＶｏＩＰ電話端末を備えた電話発信システムは、前記ＬＡＮが、当該ＩＰパケット通信ネットワークに収容されるゲートウェイをさらに備え、ゲートウェイが、ＶｏＩＰ電話端末との音声通信における電話網との間の通信プロトコル変換を行う構成としてある。
【００１５】
さらに、前記ＶｏＩＰ電話端末を備えた電話発信システムは、前記ＬＡＮにサーバをさらに接続し、このサーバに、端末装置及び／又はＶｏＩＰ専用電話端末が、遠隔手続き呼び出し方式による動作を行うためのプログラムを格納している構成としてある。
【００１６】
また、前記ＶｏＩＰ電話端末を備えた電話発信システムは、前記サーバが格納するプログラムを、情報記録媒体から取り込み、又は、通信ネットワークを通じたダウンロードによって取り込む構成としてある。
【００１７】
本発明の情報記録媒体は、端末装置が、ＶｏＩＰ専用電話端末の操作によって起動した電話帳アプリケーションプログラムの実行に基づきＷＷＷサーバからＬＡＮを介して電話帳データを受信して画面表示するとともに、加工可能化し、かつ、この画面表示された電話帳データから電話相手先の電話番号を選択するとともに、この選択した電話番号をＶｏＩＰ専用電話端末に転送し、この転送された電話番号をＶｏＩＰ専用電話端末が電話網に自動発信するためのプログラムを記録している。
【００１８】
前記情報記録媒体は、端末装置及びＶｏＩＰ専用電話端末の制御動作を、端末装置及びＶｏＩＰ専用電話端末を収容するＬＡＮに設けたサーバを通じて実行するためのプログラムを記録している。
【００１９】
また、前記情報記録媒体は、端末装置及びＶｏＩＰ専用電話端末の制御動作を、端末装置、ＶｏＩＰ専用電話端末、ゲートウェイ、ＷＷＷサーバ及びゲートキーパーを収容するＬＡＮに設けたＷＷＷサーバを通じて実行するためのためのプログラムを記録している。
【００２０】
このようなＶｏＩＰ電話端末からの電話発信方法及びそのシステムは、通信ネットワーク化されたＶｏＩＰ電話端末での操作に基づいて端末装置が電話帳アプリケーションプログラムを自動起動し、この起動によって画面表示された電話帳データから電話相手先の電話番号を選択する。この選択した電話番号情報が転送されたＶｏＩＰ電話端末が、この電話番号を電話網に自動発信している。
【００２１】
この結果、ＶｏＩＰ電話端末では手間のかかる表示及びスクロール操作を行わないで容易に発信相手先の電話番号が得られ、その自動電話発信が可能になる。したがって、操作性が向上する。
【００２２】
すなわち、ＶｏＩＰ電話端末と電話帳アプリケーションソフトウェアとの連携が図られて煩わしい電話相手先の電話番号の手動入力操作（適宜、手動ダイヤル操作と記載する）を行わないで電話相手先への発信が可能となる。さらに、手動ダイヤル操作による電話発信と比較して電話帳に登録した電話番号に間違いのない限り間違い電話発信が皆無となる。
【００２３】
また、電話帳データとして、少なくとも電話網に接続された電話端末ごとの電話番号と、電話番号をグループ化した際のグループ名及び代表電話番号並びに代表電話番号における内線番号、さらにダイヤルイン電話番号を記述している。この結果、多様な電話通話先に対する自動発信が可能になる。
【００２４】
また、ＷＷＷサーバやサーバに、前記端末装置及び／又はＶｏＩＰ電話端末が、遠隔手続き呼び出し方式による動作を行うためのプログラムを格納している。さらに、サーバが格納するプログラムを、情報記録媒体から取り込み、又は、通信ネットワークを通じたダウンロードによって取り込んでいる。この結果、多様な通信ネットワークの構築が可能になり、その設計の自由度が向上する。
【００２５】
本発明の情報記録媒体は、ＶｏＩＰ電話端末では手間のかかる表示及びスクロール操作を行わないで容易に発信相手先の電話番号が容易に得られ、かつ、その自動電話発信を行う処理手順を実行するためのプログラムを、例えば、汎用的なパッケージソフトウェアとしてサーバなどに実装して提供する。
この結果、サーバなどのプログラム実行による本発明の実施が容易に出来るようになる。
【００２６】
【発明の実施の形態】
次に、本発明のＶｏＩＰ電話端末からの電話発信方法及びそのシステム並びに情報記録媒体の実施の形態を図面を参照して詳細に説明する。
図１は本発明のＶｏＩＰ電話端末からの電話発信方法及びそのシステム並びに情報記録媒体の実施形態を説明するための構成図である。
【００２７】
図１に示すように、この例は、遠隔操作呼び出し（ＲＰＣ：Ｒｅｍｏｔｅ  Ｐｒｏｃｅｄｕｒｅ  Ｃａｌｌ）方式を適用したイーサネットかつバス形式のローカルエリアネットワーク（ＬＡＮ）１００で構築されたパケット通信ネットワークを有しており、このＬＡＮ１００に端末装置１７０（例えば、汎用小型コンピュータ）からのリクエスト（要求メッセージ）に応じてホームページデータを送出するＷＷＷサーバ１２０が設けられている。
【００２８】
さらに、ＬＡＮ１００には、多数のＶｏＩＰ専用電話端末１６０（図中、１台を図示した）とともに、ＷＷＷサーバ１２０上のホームページデータを閲覧・加工・表示するための端末装置１７０とが設けられている。この端末装置１７０には  ホームページデータを閲覧・加工・表示するためのプログラムを格納したフロッピディスク（ＦＤ）がＦＤドライバに装着される。
【００２９】
また、このＬＡＮ１００には、ＶｏＩＰ専用電話端末相互の音声通信の接続及び切断処理の制御及び公衆電話網１１０に収容された電話端末（ここでは一般電話端末という）１５０とＶｏＩＰ専用電話端末１６０との音声通信の接続及び切断処理を制御（例えば、ＩＴＵ−Ｔ  Ｈ３２３勧告「サービス品質非保証型ＬＡＮに用いられるビジュアル電話システム及び装置」）するゲートキーパー１３０が設けられ、さらに、公衆電話網１１０に収容された一般電話端末１５０と、ＶｏＩＰ専用電話端末１６０との音声通信における通信プロトコル変換を行うゲートウェイ１４０とを備えている。ゲートウェイ１４０及び一般電話端末１５０はアナログ回線１４１ａ及び１４１ｂで公衆電話網１１０に接続されている。
【００３０】
前記したＷＷＷサーバ１２０には、端末装置１７０からの要求により端末装置１７０の電話帳アプリケーションソフトウェア１７１を実行した際の画面に表示される各ＶｏＩＰ専用電話端末１６０用の電話帳データが格納されている。この電話帳データにリンクされたデータとして、公衆電話網１１０に接続された一般電話端末１５０ごとの電話番号と、電話番号をグループ化（例えば、企業名）した際のグループ名及び代表電話番号並びに代表電話番号における内線番号、さらにダイヤルイン電話番号を含むデータを格納している。これらのデータによって、多様な電話通話先に対する自動発信を可能にしている。
【００３１】
以下の本発明に関する動作は、ＷＷＷサーバ１２０に、本発明の動作の処理手順、すなわち、ＶｏＩＰ専用電話端末１６０では表示及びスクロール操作に手間のかかる電話帳データが容易に得られ、その自動電話発信が可能になり、この場合の操作性を向上させるためのアプリケーションソフトウェアを実装することによって実現される。このアプリケーションソフトウェアを汎用的なパッケージソフトウェアとしてフロッピーディスク（ＦＤ）、ＣＤ−ＲＯＭ又は光磁気ディスク（ＭＯ）などで提供可能である。
【００３２】
以下、実施形態の動作について説明する。
まず、図１を参照して概略の動作について説明する。
ここでの動作は、電話発信者の端末装置１７０に対する操作で電話帳アプリケーションソフトウェア（プログラム）１７１を起動して電話相手先の電話番号を検索し、この電話帳アプリケーションソフトウェア１７１の実行によってＶｏＩＰ専用電話端末１６０が自動的に電話発信を行う場合である。
【００３３】
図１において、電話発信者は、電話相手先の電話番号を、端末装置１７０において電話帳アプリケーションソフトウェア１７１にて検索してから電話をかけようとする時に、ＬＡＮ１００に接続されたＶｏＩＰ専用電話端末１６０における図示しない電話帳ボタンを押下する。ＶｏＩＰ専用電話端末１６０は、電話帳ボタンを押下された際、予め設定された端末装置１７０のＩＰアドレスに基づいて端末装置１７０に電話帳ボタンが押下された旨のメッセージ（ここでは、電話帳アプリケーションポップアップメッセージという）をバス形式のＬＡＮ伝送方式（例えば、ＣＳＭＡ／ＣＤ）によって送信する。
【００３５】
端末装置１７０においては、電話帳アプリケーションソフトウェア１７１がＶｏＩＰ専用電話端末１６０からの電話帳アプリケーションポップアップメッセージを常にＬＡＮ１００上で、そのＬＡＮ伝送方式に基づいて監視している。電話帳アプリケーションソフトウェア１７１を実行した端末装置１７０が、ＶｏＩＰ専用電話端末１６０から電話帳アプリケーションポップアップメッセージを受信すると、ＷＷＷサーバ１２０に電話帳データの問い合わせを行う。
【００３６】
端末装置１７０は、電話帳アプリケーションポップアップメッセージを送信したＶｏＩＰ専用電話端末１６０用のデータを問い合わせ、その結果をＷＷＷサーバ１２０から受信した後、この電話帳データを画面表示する。この表示画面は、前記したように一般電話端末１５０ごとの電話番号と、電話番号をグループ化（例えば、企業名）した際のグループ名及び代表電話番号並びに代表電話番号における内線番号、さらにダイヤルイン電話番号を含むデータである。
【００３７】
電話発信者は、電話帳アプリケーションソフトウェア１７１を実行した端末装置１７０の、表示画面から電話相手先を選択し、表示画面上における図示しない発信ボタンを押下する。端末装置１７０は、電話帳アプリケーションソフトウェア１７１の実行における発信ボタンの押下が行われた際に、ＶｏＩＰ専用電話端末１６０に発信指示メッセージを送信する。ＶｏＩＰ専用電話端末１６０は、電話帳アプリケーションソフトウェア１７１を実行している端末装置１７０からの発信指示メッセージを受信して、発信指示メッセージの内容を解析し、この電話相手先の電話番号に発信（選択信号の送出）を行う。
【００３８】
次に、この動作を詳細に説明する。
図２は実施形態の動作を説明するための構成図であり、図３はＶｏＩＰ専用電話端末１６０から公衆電話網１１０に接続された一般電話端末１５０に電話発信した場合のフローチャートである。
【００３９】
以下、図２及び図３を参照して、ＶｏＩＰ専用電話端末１６０から公衆電話網１１０に収容された一般電話端末１５０に電話発信した場合の動作につい説明する。
ここでは、ＶｏＩＰ専用電話端末１６０のＩＰアドレスを「１９２．１６８．１．１００」とし、また、端末装置１７０のＩＰアドレスを「１９２．１６８．１．１０」とする。さらに、ＷＷＷサーバ１２０のＩＰアドレスを「１９２．１６８．１．１」とし、ゲートキーパー１３０のＩＰアドレスを「１９２．１６８．１．２」とする。また、ゲートウェイ１４０のＩＰアドレスを「１９２．１６８．１．２５４」とする。
なお、ＶｏＩＰ専用電話端末１６０の内線番号は「１００１」、公衆電話網１１０に接続された一般電話端末１５０の電話番号を「０１２３−４５６−７８９０」とする。
【００４０】
ＶｏＩＰ専用電話端末１６０は、初期設定によって端末装置１７０のＩＰアドレス「１９２．１６８．１．１０」を認識し、また、端末装置１７０はＶｏＩＰ専用電話機１６０のＩＰアドレス「１９２．１６８．１．１００」を認識している。
【００４１】
ゲートキーパー１３０内部では、図示しないデータベースにおいてＶｏＩＰ専用電話端末１６０の内線番号「１００１」とＩＰアドレス「１９２．１６８．１．１００」及び利用者の氏名「電話発信者Ａ」とがリンクしている。また、公衆電話網１１０に接続された一般電話端末１５０の電話番号「０１２３−４５６−７８９０」とゲートウェイ１４０のＩＰアドレス「１９２．１６８．１．２５４」とがリンクしている。ＷＷＷサーバ１３０のホームページデータ中には、公衆電話網１１０に接続された一般電話端末１５０を使用している人の名前「使用者Ｂ」とともにグループ化した際のグループ名「グループＡ」、及び一般電話端末１５０の電話番号「０１２３−４５６−７８９０」が記述されている。
【００４２】
端末装置１７０には、起動しているプログラムであるプロセス（ここでは、メインプロセス１７２という）と、データが使用可能になるまで確保しておくためのプロセス（ここでは、ダミープロセスという１７３）で構成される電話帳アプリケーションソフトウェア１７１がインストールされており、端末装置１７０の起動とともに電話帳アプリケーションソフトウェア１７１も起動する。
【００４３】
電話発信者Ａは、端末装置１７０において電話帳アプリケーションソフトウェア１７１を起動し、電話発信者名とパスワードを入力する（ステップＳ３００）。電話帳アプリケーションソフトウェア（プログラム）１７１を実行した端末装置１７０は、入力された電話発信者名とパスワードに基づいてＷＷＷサーバ１２０におけるデータベースを参照して電話発信者の認証を行い（ステップＳ３０１，Ｓ３０２）、この認証が正しい場合にメインプロセス１７２の画面表示における図示しないサービス開始ボタンを押下（クリック）し（ステップＳ３０３）、ダミープロセス１７３を起動して、ＶｏＩＰ専用電話端末１６０からの電話帳アプリケーションポップアップメッセージの待ち状態に移行する（ステップＳ３０４）。
【００４４】
電話発信者は、端末装置１７０の電話帳アプリケーションソフトウェア１７１を使用する場合、ＶｏＩＰ専用電話端末１６０において、図示しない電話帳ボタンを押下する（ステップＳ３０５）。電話帳ボタンの押下を認識したＶｏＩＰ専用電話端末１６０は、ＩＰアドレス「１９２．１６８．１．１０」の端末装置１７０に対して電話帳アプリケーションポップアップメッセージＳ１８０を送信する（ステップＳ３０６）。
【００４５】
端末装置１７０では、ダミープロセス１７３がＶｏＩＰ専用電話端末１６０からの電話帳アプリケーションポップアップメッセージＳ１８０を常時監視している。この監視で電話帳アプリケーションポップアップメッセージＳ１８０を受信した場合は、メインプロセス１７２に、この受信した旨を通知する（ステップＳ３０７，Ｓ３０８）。ダミープロセス１７３によってメッセージ受信通知を受けたメインプロセス１７２は、電話帳アプリケーションソフトウェア１７１を起動したときに電話発信者によって入力された電話発信者名をキーにしてＩＰアドレスが「１９２．１６８．１．１」のＷＷＷサーバ１２０へ電話帳データの検索を電話帳データ検索要求Ｓ１８１として送信する（ステップＳ３０９）。
【００４６】
ＷＷＷサーバ１２０は、要求された電話帳データＳ１８２をデータベースから検索し、この検索結果をＨＴＭＬ（ＨｙｐｅｒＴｅｘｔ  Ｍａｒｋｕｐ  Ｌａｎｇｕａｇｅ）ファイルとしてＩＰアドレスが「１９２．１６８．１．１０」の端末装置１７０上の電話帳アプリケーションソフトウェア１７１へ返送する（ステップＳ３１０）。ＷＷＷサーバ１２０から電話帳データＳ１８２を受け取った電話帳アプリケーションソフトウェア１７１は、電話帳データを加工して画面表示する（ステップＳ３１１）。電話発信者は、画面表示された電話帳データＳ１８２から電話相手先である電話発信者Ｂを選択して図示しない発信ボタンを押下（クリック）する（ステップＳ３１２）。
【００４７】
発信ボタンの押下によって電話帳アプリケーションソフトウェア１７１は、ＩＰアドレスが「１９２．１６８．１．１００」のＶｏＩＰ専用電話端末１６０に対して発信指示メッセージＳＳ１８３を送信する（ステップＳ３１３）。この発信指示メッセージＳ１８３には、電話発信者Ｂの電話番号が情報の一つとして格納されている。ＶｏＩＰ専用電話端末１６０は、電話帳アプリケーションソフトウェア１７１からの発信指示メッセージ１８３を受信すると、メッセージに格納された電話番号情報に基づいて公衆電話網１１０に発呼し、かつ、電話発信者Ｂに電話番号発信（選択信号の送出）を行う（ステップＳ３１４）。
【００４８】
このようにして、ＶｏＩＰ専用電話端末１６０では、電話発信先に対する手間のかかる表示及びスクロール操作を行わないで容易に、その電話番号（例えば、企業をグループ化した、そのグループ名ごとの複数の電話番号）が得られ、さらに、自動的に電話発信が行われる。すなわち、操作性が向上することになる。
【００４９】
この場合、ＶｏＩＰ専用電話端末１６０と電話帳アプリケーションソフトウェア１７１との連携が図られて煩わしい電話相手先の電話番号の手動ダイヤル操作を行わないで電話相手先への発信が可能となる。さらに、手動ダイヤル操作による電話発信と比較して電話帳に登録した電話番号に間違いのない限り間違い電話発信が皆無となる。
【００５０】
なお、上記した実施形態では、ＶｏＩＰ専用電話端末用の電話帳アプリケーションソフトウェア１７１は、フロッピディスク（ＦＤ）を用いた例をもって説明したが、端末装置１７０のハードディスクにインストールするようにしても良い。また、電話帳アプリケーションソフトウェア１７１をＷＷＷを通じて端末装置１７０がダウンロードして取り込んでも良く、これらも本発明に含まれる。この場合、通信ネットワークの設計の自由度が向上する。
【００５１】
また、上記した実施形態では、本発明の実施形態の動作に対応するプログラムを、ＷＷＷサーバ１２０に実装する例をもって説明したが、ＷＷＷサーバ１２０が、例えば、ＴＣＰ／ＩＰ網によるＣＧＩ（Ｃｏｍｍｏｎ  Ｇａｔｅｗａｙ  Ｉｎｔｅｒｆａｃｅ）アプリケーションによって電話帳アプリケーションソフトウェア１７１を取り込んで本発明の実施形態の動作（ＶｏＩＰ専用電話端末では表示及びスクロール操作に手間のかかる電話帳データが容易に得られて、その自動電話発信を行う処理手順）を行うことも可能である。この場合の実施形態も本発明に含まれる。
【００５２】
さらに、上記実施形態において、ＬＡＮ１００に新たにサーバを設け、このサーバにＶｏＩＰ専用電話端末１６０及び端末装置１７０の動作を行うための遠隔操作呼び出し（ＲＰＣ）方式に基づくプログラムを格納する通信ネットワーク構成としても良い。この場合も通信ネットワークの設計の自由度が向上する。
【００５３】
さらに、この実施形態では公衆電話網１１０をもって説明したが閉鎖電話網（例えば、企業における専用回線網）を用いた場合も同様に動作する。
【００５４】
【発明の効果】
以上の説明から明らかなように、本発明のＶｏＩＰ電話端末からの電話発信方法及びそのシステムによれば、通信ネットワーク化されたＶｏＩＰ電話端末での操作に基づいて端末装置が電話帳アプリケーションプログラムを自動起動して実行した際の画面表示の電話帳データから電話相手先の電話番号を選択する。この選択した電話番号をＶｏＩＰ電話端末が電話網に自動発信している。
【００５５】
この結果、ＶｏＩＰ電話端末と電話帳アプリケーションソフトウェアとの連携が図られて煩わしい電話相手先の電話番号の手動入力操作を行わないで電話相手先への自動発信が可能になって、その操作性が向上する。さらに、手動ダイヤル操作による電話発信と比較して電話帳に登録した電話番号に間違いのない限り間違い電話発信が皆無になるという効果を奏する。
【００５６】
また、本発明によれば、電話帳データとして、少なくとも電話網に接続された電話端末ごとの電話番号と、電話番号をグループ化した際のグループ名及び代表電話番号並びに代表電話番号における内線番号、さらにダイヤルイン電話番号を記述している。この結果、多様な電話通話先に対する自動発信が可能になるという効果を奏する。
【００５７】
さらに、本発明によれば、ＷＷＷサーバや、新たに設けたサーバに、前記端末装置及び／又はＶｏＩＰ電話端末が、遠隔手続き呼び出し方式による動作を行うためのプログラムを格納し、さらに、サーバが格納するプログラムを、情報記録媒体から取り込み、又は、通信ネットワークを通じたダウンロードによって取り込んでいる。この結果、多様な通信ネットワークに対応できるようになり、この発明の設計の自由度が向上するという効果を奏する。
【００５８】
本発明の情報記録媒体は、ＶｏＩＰ電話端末では手間のかかる表示及びスクロール操作を行わないで容易に発信相手先の電話番号が容易に得られ、かつ、その自動電話発信を行う処理手順を実行するためのプログラムを提供する。この結果、サーバなどのプログラム実行による本発明の実施が容易に出来るようになるという効果を奏する。
【図面の簡単な説明】
【図１】本発明のＶｏＩＰ電話端末からの電話発信方法及びそのシステム並びに情報記録媒体の実施形態を説明するための構成図である。
【図２】実施形態の動作を説明するための構成図である。
【図３】実施形態にあってＶｏＩＰ電話端末から公衆電話網に接続された一般電話端末に発信した場合のフローチャートである。
【符号の説明】
１００  ＬＡＮ
１１０  公衆電話網
１２０  ＷＷＷサーバ
１３０  ゲートキーパー
１４０  ゲートウェイ
１５０  一般電話端末
１６０  ＶｏＩＰ専用電話端末
１７０  端末装置
１７１  電話帳アプリケーションソフトウェア
１７２  メインプロセス
１７３  ダミープロセス
【図１】
0003555852.tif 000002
【図２】
0003555852.tif 000003
【図３】
0003555852.tif 000004